(57)【要約】【課題】商品販売時などに扉が開放された場合に、扉の隙間から陳列室内に虫が侵入して不衛生になってしまうなどといった不都合を確実に防止することができるショーケースを提供する。【解決手段】ショーケース１は、商品を陳列する陳列室３と、この陳列室３の開口を開閉自在に閉塞する扉７とを備える。正回転して陳列室３内の空気を外部に排出する送風機２０と、この送風機２０の運転を制御する制御手段を備える。制御手段は、扉７の開閉を検出する扉開閉検出手段（ドアスイッチＳＷ３）を有し、扉７が開放された場合、送風機２０を逆回転させる。【選択図】図１
2008220743.tif 000002
【特許請求の範囲】
【請求項１】
商品を陳列する陳列室と、該陳列室の開口を開閉自在に閉塞する扉とを備えたショーケースにおいて、
正回転して前記陳列室内の空気を外部に排出する送風機と、該送風機の運転を制御する制御手段を備え、
該制御手段は、前記扉の開閉を検出する扉開閉検出手段を有し、前記扉が開放された場合、前記送風機を逆回転させることを特徴とするショーケース。
【請求項２】
商品を陳列する陳列室と、該陳列室の開口を開閉自在に閉塞する扉とを備えたショーケースにおいて、
正回転して前記陳列室内の空気を外部に排出する送風機と、該送風機の運転を制御する制御手段と、前記陳列室からの商品の取り出しに使用する商品取出具を保持する保持部とを備え、
該制御手段は、前記商品取出具が前記保持部に保持されているか否かを検出する取出具検出手段を有し、前記商品取出具が前記保持部から取り外された場合、前記送風機を逆回転させることを特徴とするショーケース。
【発明の詳細な説明】
【技術分野】
【０００１】
本発明は、商品を陳列する陳列室と、この陳列室の開口を開閉自在に閉塞する扉とを備えたショーケースに関するものである。
【背景技術】
【０００２】
従来よりコンビニエンスストアなどの店舗には、レジスターなどが載置されるサービステーブルが設けられている。このサービステーブルには、レジスターの他にも卓上型の冷却、加熱ショーケースや庫内（商品陳列室）を外気温に保つショーケースなどが載置されており、冷却、加熱又は調理済み食材などの商品の促進販売が行われている。
【０００３】
例えば、卓上型の冷却ショーケースは、一般的に外部から陳列室内の商品を透視できるように作られているため、本体の前後面及び両側面は、透視可能な透明壁にて構成されている。そして、この前面及び後面には、それぞれ開閉可能な扉が設けられており、後面からは店員が商品の補充や陳列を行うことができると共に、前面からは顧客が商品を取り出すことができる構成とされている（特許文献１参照）。
【０００４】
また、加熱及び冷却をせずに外気温（常温）で設置される常温ショーケースや加熱ショーケースも冷却ショーケース同様外部から陳列室内の商品を透視できるように作られている。該常温ショーケースの陳列室内には複数段の棚が設けられており、それらの棚上に調理済みの和え物、揚げ物、或いは、惣菜などの食材（商品）が陳列されている。即ち、常温ショーケースは、空気中に浮遊する埃や細菌などの付着が懸念されて顧客に不衛生感を与えないように、本体の前後面及び両側面を透視可能な透明壁にて構成された陳列室内に商品が陳列されている。
【０００５】
また、各棚上に陳列された商品の上方には蛍光灯が取り付けられており、各蛍光灯で各棚の上に陳列された商品を照らすことにより、それぞれの棚の上の商品を視認し易いようにして販売促進が図られていた。しかし、調理済みの商品が陳列室に陳列された場合、陳列室の温度は上昇し、蛍光灯の点灯による発熱によっても陳列室の温度は上昇してしまい、陳列室を常温に保てなくなってしまう。
【０００６】
そこで、常温ショーケースは陳列室の温度が上昇し過ぎないように、扉の上に陳列室換気用の送風機が設けられている。この送風機で陳列室の空気を排出することにより、陳列室を外気温に維持できるように構成されていた。係る常温ショーケースの後面（この場合、例えば扉の下側）には、陳列室温度の表示を行う温度計が設けられると共に、送風機のＯＮ／ＯＦＦスイッチが設けられている。そして、使用者が温度計を見て陳列室温度が所定の値より高い場合、スイッチが入れられ送風機が運転されることにより換気が行われて陳列室内は外気で冷却される。この場合、常温ショーケース本体と扉などとの狭い隙間から外気が陳列室に流入して陳列室内は外気で冷却される。そして、陳列室温度が所定の値より低くなった場合、スイッチが切られて送風機の運転が停止することにより、常温ショーケースの陳列室は外気温に維持されていた。
【特許文献１】特開２０００−２５３９６５号公報
【発明の開示】
【発明が解決しようとする課題】
【０００７】
しかしながら、常温ショーケースは、陳列室の空気を送風機で排出することにより換気を行い、陳列室を外気温度に維持していたので、陳列室は負圧となってしまう。そこで、商品販売時などに、扉が開放されると外気が一気に陳列室内に流入してしまう。特に、扉近傍に小さな虫が飛んでいた場合、その虫が流入する外気と一緒に陳列室に吸い込まれてしまう。このため、陳列室に入った虫によって、陳列室に陳列した商品が不衛生となってしまう問題があった。
【０００８】
本発明は、係る従来技術の課題を解決するために成されたものであり、商品販売時などに扉が開放された場合に、扉の隙間から陳列室内に虫が侵入して不衛生になってしまうなどといった不都合を確実に防止することができるショーケースを提供することを目的とする。
【課題を解決するための手段】
【０００９】
即ち、本発明のショーケースは、商品を陳列する陳列室と、この陳列室の開口を開閉自在に閉塞する扉とを備えたものであって、正回転して陳列室内の空気を外部に排出する送風機と、この送風機の運転を制御する制御手段を備え、この制御手段は、扉の開閉を検出する扉開閉検出手段を有し、扉が開放された場合、送風機を逆回転させることを特徴とする。
【００１０】
また、請求項２の発明のショーケースは、商品を陳列する陳列室と、この陳列室の開口を開閉自在に閉塞する扉とを備えたものであって、正回転して陳列室内の空気を外部に排出する送風機と、この送風機の運転を制御する制御手段と、陳列室からの商品の取り出しに使用する商品取出具を保持する保持部とを備え、この制御手段は、商品取出具が保持部に保持されているか否かを検出する取出具検出手段を有し、商品取出具が保持部から取り外された場合、送風機を逆回転させることを特徴とする。
【発明の効果】
【００１１】
本発明では、商品を陳列する陳列室と、この陳列室の開口を開閉自在に閉塞する扉とを備えたショーケースにおいて、正回転して陳列室内の空気を外部に排出する送風機と、この送風機の運転を制御する制御手段を備え、この制御手段は、扉の開閉を検出する扉開閉検出手段を有し、扉が開放された場合、送風機を逆回転させるので、扉が開放された場合に、自動的に陳列室内の空気圧力を外部より上昇させることができる。これにより、商品販売時に扉が開放された場合に、外気が陳列室内に一気に入ってしまうなどと言った不都合も解消することが可能となる。従って、扉近傍に飛んでいる虫が陳列室内に入ってしまうなどといった不都合を確実に防止することができるので、常に陳列室内を衛生的に管理することができるようになるものである。
【００１２】
特に、扉開閉検出手段は、扉が開放されたときだけ送風機を逆回転させ、自動的に陳列室内に外気を取り入れて陳列室３内の空気の圧力を外部より上昇させることができるので、例えば、使用者が格別に設けたファンの逆転スイッチを操作するなどと言った煩わしさも生じることがない。従って、ショーケースの利便性を大幅に向上させることができるようになるものである。
【００１３】
また、請求項２の発明では、商品を陳列する陳列室と、この陳列室の開口を開閉自在に閉塞する扉とを備えたショーケースにおいて、正回転して陳列室内の空気を外部に排出する送風機と、この送風機の運転を制御する制御手段と、陳列室からの商品の取り出しに使用する商品取出具を保持する保持部とを備え、この制御手段は、商品取出具が保持部に保持されているか否かを検出する取出具検出手段を有し、保持部から商品取出具が取り外された場合、送風機を逆回転させるので、例えば、扉が開放される以前に保持部から商品取出具が外された際、陳列室内を自動的に外部の圧力より上昇させることができる。これにより、扉が開放される以前に外部の圧力より陳列室内の圧力を上昇させることができるので、商品販売時に外気が陳列室内に一気に入ってしまうなどと言った不都合を解消することが可能となる。従って、扉近傍に飛んでいる虫が陳列室内に入ってしまうなどといった不都合を確実に防止することができ、常に陳列室を衛生的に管理することができるようになるものである。
【００１４】
特に、取出具検出手段は、保持部から商品取出具が取り外された場合、自動的に送風機を逆回転させて外気を取り入れ、陳列室内の空気圧力を外部より上昇させることができる。これにより、扉が開放されるより速いタイミングで陳列室内の空気圧力を外気より上昇させることができる。これにより、扉が僅か開放された場合でも、その隙間から陳列室の空気を確実に排出させることが可能となる。従って、扉近傍に飛んでいる虫が陳列室に入ってしまうなどといった不都合を、更に確実に防止することができるようになるものである。
【発明を実施するための最良の形態】
【００１５】
本発明は、ショーケースの扉を開放した際、扉近傍の虫が陳列室内に入ってしまうのを防止するため、扉が開放されたときだけ陳列室内の空気を外部に排出させることを特徴とする。陳列室内の空気を外部に排出させるという目的を、扉を開放した際、スイッチを動作させて陳列室内の冷却用送風機を逆転させるだけの簡単な構造で実現した。
【実施例１】
【００１６】
以下、図面に基づき本発明の実施の形態を詳述する。図１乃至図３は、本発明のショーケース１の実施形態を示しており、図１は本発明を適用したショーケース１の縦断側面図、図２は同じくショーケース１の背面図、図３はショーケース１の電気回路図である。
【００１７】
実施例のショーケース１は、店舗のサービスカウンターなどの所謂テーブル上に設置される卓上型ショーケースであり、このショーケース１は、外部から陳列室３内の商品を透視できるように陳列するため、本体２の前後面及び両側面が透視可能な透明壁にて構成されている。そして、陳列室３の後面に設けられた開口を扉７によって開閉自在とすることにより、店員が商品の補充や陳列を行うことができる構成とされている。
【００１８】
該ショーケース１は、図１に示すような底壁、天壁及び左右のフレームから成る本体２により構成されており、この本体２の両側には、内部に形成される陳列室３内が透視可能な透明壁にて構成される側面板５、５が設けられている。そして、この本体２には、上面から下部前端に渡って本体２の前面を構成すると共に、上面及び前面から陳列室３内を透視可能とする透明壁からなる前面板６が設けられ、当該上面と前面上端とにより構成される角部は、所定曲率にて湾曲して形成されている。
【００１９】
また、本体２内に構成された陳列室３の後面には、図２に示すように縦長略矩形状の後面開口が形成されており、この後面開口は、左右の何れか一側が蝶番（図示せず）にて枢支された回動式の扉７により開閉自在に閉塞される。そして、扉７を開閉することで、陳列室３内へ商品の陳列及び商品の取り出しを行うことができる。尚、扉７は、非枢支側の端部に設けられる図示しない磁石式の係止部材により、着脱自在に本体２に保持されるものとする。
【００２０】
また、陳列室３には、複数の棚１１が架設されており、この棚１１は上下方向に所定の間隔で架設されている。本実施例では、棚１１は、２段だけ架設されているが、これ以上であっても良いものとする。該上段の棚１１と陳列室３の天壁、上下の各棚１１、下段の棚１１と陳列室３の底壁とは略等間隔の距離を有すると共に、各棚１１は当該棚１１上に陳列される商品を前方から視認し易くする目的で、前方に少許傾斜して設けられている。尚、３０は、商品を陳列するための陳列皿で、この陳列皿３０は、各棚１１上、及び、底壁上に設置される。
【００２１】
また、各棚１１の載置面の上方、即ち、棚１１の載置面に対しては本体２の天壁裏面側と、各棚１１の設置面に対して裏面には、それぞれ照明灯として蛍光灯１２が設けられている。本実施例において、当該蛍光灯１２は、陳列室３内に陳列する商品の色に応じて暖色系、或いは、白色系の照明が用いられるものとする。尚、１５は、蛍光灯１２を点灯させるためのグロースタータ、１４は蛍光灯１２の安定器（図３に図示）である。また、棚１１は、下面に蛍光灯１２が取り付けられた状態、且つ、蛍光灯１２に配線が接続された状態で、高さを変更することが可能であり、陳列する商品の大きさによって棚１１の高さが変更される。
【００２２】
本体２の天壁の後面２Ａ側上部となる陳列室３内（グロースタータ１５と後面２Ａの間）には、当該陳列室３の換気を行うための送風機２０が設置されており、この送風機２０に対応する後面２Ａ（扉７の上側）には格子状の穴が複数形成された換気口２２が設けられている。この陳列室３は、送風機２０、換気口２２を介して外部と連通している。そして、送風機２０が正回転（例えば時計方向の回転）を行うと陳列室３内の空気は、扉７と本体２などの隙間から外部に排出され、逆回転を行うと換気口２２から外気が陳列室３内に取り込まれるように構成されている。
【００２３】
また、換気口２２内には、図示しないが小さな埃や虫などを除去可能なフィルターが着脱可能に設けられている。このフィルターによって、送風機２０を逆回転させて外気を陳列室３内に取り入れる際小さな埃や虫などが除去される。これによって、陳列室３内に外気を取り入れた際、当該陳列室３内に小さな埃や虫などが入り込まないように構成して、陳列室３内の衛生向上が図られている。
【００２４】
また、陳列室３には、温度センサ１６（図１に図示）が設けられており、この温度センサ１６は比較的温度が上昇する陳列室３内の上部近傍に設けられ、陳列室３内の温度を検出する。本体２の底壁の後面には液晶表示器１８が設けられており、この液晶表示器１８は、温度センサ１６が検出した陳列室３内の温度を表示する。この液晶表示器１８は、使用者が容易に視認し易い本体２下部（扉７下側）に設けられている。
【００２５】
また、本体２の底壁の後面には、電源スイッチＳＷ１、及び、送風機２０のＯＮ／ＯＦＦを行うための送風機スイッチＳＷ２が設けられている。即ち、本体２の底壁の後面の略中央には送風機スイッチＳＷ２が設けられており、送風機スイッチＳＷ２の右側には所定の間隔を存して電源スイッチＳＷ１が設けられている。また、送風機スイッチＳＷ２の左側には所定の間隔を存して液晶表示器１８が設けられている。
【００２６】
一方、図３に本発明のショーケース１の電気回路（本発明の送風機２０の運転を制御する制御手段に相当）図を示している。図３において、単相交流商用電源ＡＣの一方（図中左側）は、電源スイッチＳＷ１、安定器１４を介して蛍光灯１２の一方に接続されている。また、単相交流商用電源ＡＣの他方（図中右側）は、電源スイッチＳＷ１を介して蛍光灯１２の他方に接続されている。該蛍光灯１２には並列にグロースタータ１５が接続されている。このグロースタータ１５は、蛍光灯１２を点灯させるためのものである。尚、図３では蛍光灯１２を１灯のみ図示している。
【００２７】
また、電源スイッチＳＷ１の一方は、送風機スイッチＳＷ２を介して、扉７の開閉により切り替わるドアスイッチＳＷ３（本発明の扉７の開閉を検出する扉開閉検出手段に相当）に接続されると共に、電源スイッチＳＷ１の他方は、送風機スイッチＳＷ２を介して送風機２０のモータＦＭに接続されている。ドアスイッチＳＷ３は、扉７の開閉によって作動する可動接片３２と２つの固定接片３２Ａ、３２Ｂとを有している。尚、図１、図２ではドアスイッチＳＷ３を図示していない。また、実際は扉７の開閉によりアクチュエータが動作することにより可動接片３２が動作するように構成されている。
【００２８】
該送風機２０のモータＦＭは、正回転／逆回転可能に構成されており、このモータＦＭは正回転端子ＦＭＡと逆回転端子ＦＭＢとを備えている。正回転端子ＦＭＡはドアスイッチＳＷ３の一側の固定接片３２Ａに接続され、逆回転端子ＦＭＢはドアスイッチＳＷ３の他側の固定接片３２Ｂに接続されている。
【００２９】
係る扉７が閉じられた状態では、ドアスイッチＳＷ３の可動接片３２と固定接片３２Ａとが接続され、扉７が僅か（例えば、約１ｍｍ〜３ｍｍ）でも開いた場合は、ドアスイッチＳＷ３の可動接片３２と固定接片３２Ｂが接続されるように構成されている。そして、単相交流商用電源ＡＣがドアスイッチＳＷ３の一側の固定接片３２Ａを介してモータＦＭの正回転端子ＦＭＡに通電されると、送風機２０（以降モータＦＭを含む）は正回転を行う。また、単相交流商用電源ＡＣがドアスイッチＳＷ３の他側の固定接片３２Ｂを介してモータＦＭの逆回転端子ＦＭＢに通電されると送風機２０は逆回転を行うように構成されている。
【００３０】
以下に、ショーケース１内（陳列室３内）の換気について説明する。先ず、電源スイッチＳＷ１が使用者によってＯＮされると、単相交流商用電源ＡＣが安定器１４を介してグロースタータ１５に印可され、これによって、各蛍光灯１２は点灯する。そして、扉７が開放され、陳列室３内の各陳列皿３０上に商品が陳列され、扉７が閉められる。
【００３１】
この状態で、時間が経過すると、陳列室３内は、複数の蛍光灯１２の発熱、及び、陳列室３室内に陳列した商品の熱などによって温度が上昇していく。この陳列室３内の温度は液晶表示器１８に表示される。そして、使用者は、液晶表示器１８に表示された陳列室３内の温度が所定の温度以上になったのを確認したら、送風機スイッチＳＷ２を操作（ＯＮ）する。これによって、単相交流商用電源ＡＣが送風機２０に通電される。
【００３２】
このとき、扉７は閉じられているので、ドアスイッチＳＷ３の可動接片３２と固定接片３２Ａとが接続され、モータＦＭの正回転端子ＦＭＡに単相交流商用電源ＡＣが供給される。これによって、送風機２０は正回転を行い、陳列室３内の空気は換気口２２から外部に排出される。この場合、陳列室３内には、本体２と扉７などとの小さな隙間から外気が陳列室３内に流入し、陳列室３内は流入した外気で冷却される。このとき、送風機２０の運転によって陳列室３内の空気は外部に排出されるので、陳列室３内は外気よりも負圧となる。
【００３３】
そして、送風機２０が正回転を行い陳列室３内の空気が換気口２２から外部に排出されて、陳列室３内が低圧になっているとき、お客からの商品の注文、或いは、陳列室３内への商品の補充などが行われるとき扉７が開放される。扉７が僅か開放されるとドアスイッチＳＷ３の可動接片３２は固定接片３２Ａから固定接片３２Ｂに切り替わり、逆回転端子ＦＭＢに単相交流商用電源ＡＣが通電される。これによって、送風機２０は逆回転を行い、換気口２２から陳列室３内に外気を取り込む。
【００３４】
陳列室３内に外気が取り込まれると、外部より負圧になっている陳列室３内の空気圧力が上昇して、陳列室３内の空気が本体２と扉７などとの隙間から外部に排出される。これによって、その後、扉７が開放（全開）されたとき、陳列室３内の圧力が上昇した空気が後面の開口から外部に排出されるようになるので、扉７近傍に飛んでいる虫が陳列室３の後面開口から陳列室３内に入ってしまうなどといった不都合を確実に防止することができる。そして、扉７が閉じられると、ドアスイッチＳＷ３の可動接片３２が再び固定接片３２Ａに復帰するので、送風機２０は正回転に復帰するものである。尚、使用者は、液晶表示器１８に表示された陳列室３内の温度が所定の温度以下になったのを確認したら、送風機スイッチＳＷ２を操作（ＯＦＦ）するものとする。
【００３５】
このように、ショーケース１には正回転によって陳列室３内の空気を外部に排出する送風機２０と、この送風機２０の運転を制御するドアスイッチＳＷ３とを備えている。このドアスイッチＳＷ３は、扉７の開閉を検出する可動接片３２を備えており、扉７が開放された場合に、外部より負圧になっている陳列室３内の空気圧力を自動的に外部より上昇させることができる。これにより、商品販売時に扉７が開放された場合に、外気が陳列室３内に一気に入ってしまうなどと言った不都合も解消することが可能となる。従って、扉７近傍に飛んでいる虫が陳列室３内に入ってしまうなどといった不都合を確実に防止することができるので、常に陳列室３内を衛生的に管理することができる。
【００３６】
特に、ドアスイッチＳＷ３の可動接片３２は、扉７が開放されたときだけ送風機２０を逆回転させている。これにより、自動的に陳列室３内に外気を取り入れて外部より負圧になっている陳列室３内の空気圧力を上昇させることができるので、例えば、使用者が格別に設けたファンの逆転スイッチを操作するなどと言った煩わしさも生じることがない。
【実施例２】
【００３７】
次に、本発明の他の実施例のショーケース１の説明を行う。実施例２で実施例１同様図１、図２を用いて説明を行う。該ショーケース１は、前述の実施例と略同じ構成を有している。以下、異なる部分について説明する。尚、実施例２では実施例１のドアスイッチＳＷ３は設けていない。ショーケース１は、図１、図２に示すように本体２の背面に設けられると共に、上部の一側（実施例では左側）に保持部が設けられている。この保持部は、陳列室３からの商品を取り出す際に使用する商品取出具２６（一般的に通常トングと称されている）を保持できるように構成されている。
【００３８】
保持部には、ステンレス板などにて横面コ字上に形成された所定幅の保持具２４が設けられており、この保持具２４は、本体２の天壁の後面２Ａに固定される底片２４Ａと、この底片２４Ａの両側に略直角に折曲された保持片２４Ｂとから構成されている。両保持片２４Ｂは、所定の間隔を存しており、先端は底片２４Ａより所定寸法狭く構成されると共に、保持具２４は、底片２４Ａが図示しないネジ、或いは、ボルトにて本体２に固定される。
【００３９】
商品取出具２６は、商品を挟んで取り出すトングと称されるもので、弾性を有する所定長さのステンレス板にて構成されている。該商品取出具２６は、一側がＵ字状に湾曲して形成されると共に、他側は所定寸法離間した一対の狭持片２６Ａが形成されている。この商品取出具２６の両狭持片２６Ａは一側から他側（先端）に行くに従って少許拡開している。該両狭持片２６Ａは、先端から一側方向に所定距離ギザギザが形成されると共に、このギザギザは両狭持片２６Ａの対向面に形成されている。そして、商品取出具２６は、狭持片２６Ａの開口部（ギザギザ部）に商品を差し込み、拡開している狭持片２６Ａを使用者が手で狭持させることにより、商品が落下することなく容易に挟み取れるように構成されている。
【００４０】
両狭持片２６Ａの間隔は、前記保持具２４に設けられた両保持片２４Ｂの間隔より幅広寸法に構成されている。そして、使用者が商品取出具２６の狭持片２６Ａを手で狭持して両保持片２４Ｂの間隔より幅狭にした状態で、両狭持片２６Ａを両保持片２４Ｂ間に挿入して手を離す。これにより、両狭持片２６Ａは弾性復帰して相互に離間し、両保持片２４Ｂ間に保持される。即ち、商品取出具２６が保持具２４に着脱自在に保持される。
【００４１】
該保持具２４には、ドアスイッチＳＷ３同様の保持スイッチＳＷ４（図３に図示）が設けられると共に、この保持スイッチＳＷ４（本発明の商品取出具２６が保持部に保持されているか否かを検出する取出具検出手段に相当）は、実施例１の電気回路に設けたドアスイッチＳＷ３と同じ箇所に接続されている。保持スイッチＳＷ４は、商品取出具２６を保持具２４へ着脱することによって作動する可動接片３４と、２つの固定片接３４Ａ、３４Ｂとを有している。尚、図１、図２では保持スイッチＳＷ４を図示していない。また、実際は商品取出具２６を保持具２４へ着脱することによって図示しないアクチュエータが動作することにより可動片接３４が動作するように構成されている。
【００４２】
前記、商品取出具２６は、陳列室３内から商品を取り出す際に使用するためのものなので、保持具２４に商品取出具２６が保持されていないときは、扉７が開放されたと考えられる。即ち、保持スイッチＳＷ４は、商品取出具２６が保持具２４に保持された状態では、保持スイッチＳＷ４のアクチュエータ（可動接片３４）が押されて、可動接片３４と固定接片３４Ａとが接続される。商品取出具２６が保持具２４から外された状態では、保持スイッチＳＷ４の可動接片３４が切り替わって可動接片３４と固定接片３４Ｂとが接続される。これにより、送風機２０は正回転から逆回転に切り替わるように構成されている。
【００４３】
そして、前述同様送風機２０が正回転して陳列室３内の空気が換気口２２から外部に排出されているとき、お客からの商品の注文、或いは、陳列室３内への商品の補充などが発生すると扉７が開放される以前に、保持具２４に保持された商品取出具２６を外す。商品取出具２６が保持具２４から外されると保持スイッチＳＷ４の可動接片３４と固定接片３４Ｂとが接続され、逆回転端子ＦＭＢに単相交流商用電源ＡＣが通電されて、送風機２０は逆回転を行う。
【００４４】
これによって、送風機２０は、換気口２２から外気を陳列室３内に取り込む。陳列室３内に外気が取り込まれると、外部より負圧になっている陳列室３内の空気圧力は上昇して、陳列室３内の空気は本体２と扉７などとの隙間から外部に排出される。これによって、扉７が開放された際は、外部より空気圧力が上昇している陳列室３内の空気が、後面開口から外部に排出されるようになるので、扉７近傍に飛んでいる虫が後面開口から陳列室３内に入り不衛生になってしまうなどといった不都合を確実に防止することができる。尚、その後、扉７を閉じ、保持具２４に商品取出具２６を戻せば、可動接片３４が固定接片３４Ａに復帰するので、送風機２０は正回転に戻る。
【００４５】
このように正回転して陳列室３内の空気を外部に排出する送風機２０と、この送風機２０の運転を制御する保持スイッチＳＷ４と、陳列室３からの商品の取り出す際使用する商品取出具２６を保持する保持具２４とを備えている。該保持スイッチＳＷ４は、商品取出具２６が保持具２４に保持されているか否かを検出する可動接片３４を有している。そして、保持具２４から商品取出具２６が取り外された場合、保持スイッチＳＷ４は送風機２０を逆回転させるので、扉７が開放される以前に保持部２４から商品取出具２６が外された際、外部より空気圧力が負圧になっている陳列室３内の空気圧力を自動的に上昇させることができる。これにより、扉７が開放される以前に外部より陳列室３内の空気圧力を上昇させることができるので、商品販売時に外気が陳列室３内に一気に入ってしまうなどと言った不都合を解消することが可能となる。従って、扉７近傍に飛んでいる虫が陳列室３内に入ってしまうなどといった不都合を確実に防止することができ、常に陳列室３を衛生的に管理することができる。
【００４６】
特に、保持スイッチＳＷ４の可動接片３４は、保持部２４から商品取出具２６が取り外された場合に、自動的に送風機２０を逆回転させて外気を取り入れて陳列室３内の空気圧力を外部より上昇させることができる。これにより、扉７が開放されるより速いタイミングで陳列室３内の空気圧力を外気より上昇させることができる。これにより、扉７が僅か開放された場合でも、その隙間から陳列室３内の空気を確実に排出させることが可能となる。従って、扉７近傍に飛んでいる虫が陳列室３内に入ってしまうなどといった不都合を、更に確実に防止することが可能となる。
【００４７】
尚、実施例１では扉７を開放したとき送風機２０の回転を正回転から逆回転に回転させるドアスイッチＳＷ３を設け、実施例２では商品取出具２６を保持具２４から外した際、送風機２０の回転を正回転から逆回転に回転させる保持スイッチＳＷ４を設けたが、一台のショーケース１にドアスイッチＳＷ３と保持スイッチＳＷ４の双方を設けても差し支えない。これにより、商品取出具２６を保持具２４から外すのを忘れて扉７が開放されてしまった場合でも、陳列室３内の空気圧力を外気より上昇させることができるので、扉７を開放した場合でも、扉７近傍の塵埃や、扉７近傍に飛んでいる虫などが陳列室３に入ってしまうなどといった不都合を確実に防止することができる。
【００４８】
また、扉７が開放された際、ドアスイッチＳＷ３により送風機２０の回転を正回転から逆回転に回転させて外気を陳列室３内に取り込むと共に、商品取出具２６が保持具２４から外された再、保持スイッチＳＷ４により送風機２０の回転を正回転から逆回転に回転させて外気を陳列室３内に取り込んだが、ドアスイッチＳＷ３及び保持スイッチＳＷ４を設けずに、扉７を開放した状態と、閉じた状態で外気を陳列室３内に取り込むようにしても差し支えない。これにより、常時陳列室３内の空気圧力を外部より上昇させることができるので、送風機２０を正回転から逆転させるスイッチ（ドアスイッチＳＷ３及び保持スイッチＳＷ４）を省くことができ、ショーケース１がコストアップしてしまうなどといった価格の高騰を防止することが可能となる。
【００４９】
また、実施例ではショーケース１を常温で使用する卓上型ショーケースで説明したが、ショーケース１は常温で使用する卓上型ショーケースに限らず、陳列室３内を加温可能な卓上型加温ショーケースであっても差し支えない。該卓上型加温ショーケースも卓上型ショーケース同様の効果を得ることができる。
【００５０】
勿論本発明は、上記各実施例のみに限定されるものではなく、この発明の範囲を逸脱することなく他の様々な変更を行っても本発明は有効である。
【図面の簡単な説明】
【００５１】
【図１】本発明を適用したショーケースの縦断側面図である（実施例１、実施例２）。
【図２】同図１のショーケースの背面図である。
【図３】ショーケースの電気回路図である。
【符号の説明】
【００５２】
１  ショーケース
２  本体
３  陳列室
７  扉
１２  蛍光灯
１８  液晶表示器
２０  送風機
２２  換気口
２４  保持具
２６  商品取出具
ＡＣ  単相交流商用電源
ＳＷ１  電源スイッチ
ＳＷ２  送風機スイッチ
ＳＷ３  ドアスイッチ
ＳＷ４  保持スイッチ
ＦＭ  モータ
ＦＭＡ  正回転端子
ＦＭＢ  逆回転端子
【図１】
2008220743.tif 000003
【図２】
2008220743.tif 000004
【図３】
2008220743.tif 000005